(57)【要約】【課題】防水コートを着用して夏期高温時作業を行なうに際し、コート内側の熱気を排出し清涼感を得て快適な環境で作業を可能とする。【解決手段】線状材料を用いて、上部にＵ字状首まわり部１を有し、該Ｕ字状首まわり部１より分岐した各分岐部１ａ，１ｂを胸部前部側に彎曲せしめて延長し、夫々の延長部下端をベルト差し込み部２ａ，２ｂに形成して吊り上げ具本体Ａを構成すると共に、上記首まわり部１に背側に向けてコートの後襟を吊り上げる布ファスナー等の係着具４を取り付け、かつベルト差し込み部２ａ，２ｂにベルト上縁に係着して吊り上げ具本体Ａの位置を調節する高さ調節具３ａ，３ｂを設けた。なお、上記のＵ字状首まわり部の下部に背中をふくらませるＵ状部５を併せ設けることも効果的である。【選択図】      図１
0003121128.tif 000002
【実用新案登録請求の範囲】
【請求項１】
線状材料を用いて上部にＵ字状首まわり部を有し、該Ｕ字状首まわり部より分岐した各分岐部を胸部前部側に彎曲せしめて延長し、夫々の延長部下端をベルト差し込み部に形成して吊り上げ具本体を構成すると共に、上記首まわり部に背側に向けてコートの後襟を吊り上げる布ファスナーの如き係着具を取り付け、かつベルト差し込み部にベルト上縁に係着して吊り上げ具の位置を調整する高さ調整具を設けてなることを特徴とする熱気排出用防水コートの襟吊り上げ具。
【請求項２】
上部のＵ字状首まわり部の下部に背中をふくらませるＵ状部を併せ設けた請求項１記載の熱気排出用防水コートの襟吊り上げ具。
【請求項３】
胸部前部の彎曲分岐部に吊り上げ具本体の胸前に傾くのを背側に引っ張る伸縮紐を設けた請求項１または２記載の熱気排出用防水コートの襟吊り上げ具。
【考案の詳細な説明】
【技術分野】
【０００１】
本考案は夏期高温時の消毒作業等において着用する防水コート内に熱気がこもり、不快感を催すのを防ぎ涼味を取り入れて作業環境を快適ならしめるための熱気排出用防水コートの襟吊り上げ具に関するものである。
【背景技術】
【０００２】
従来、夏期高温時において農産物等の消毒を行なうときは通常、上下式の防水コートを着用して行なっていた。しかし、上下着用式の防水コートではどのような高価な素材で作っても夏期高温時作業ではコート内に熱気がこもって、この熱気に耐えられず着用を続けることが困難となり、その都度、衣服を着替えることによって対応している状況であり、適切な対応策はなかった。
【考案の開示】
【考案が解決しようとする課題】
【０００３】
本考案は上述の如き実状に対処し、特にコートと身体との間に空間を形成するコート襟吊り上げ具の着用を見出すことにより上記空間に足元より空気を取り入れて該外気でコート内側の熱気を煙突状に頭上に排出させ、夏期高温作業時も快適な環境で作業を可能ならしめることを目的とするものである。
【課題を解決するための手段】
【０００４】
即ち、上記目的に適合する本考案の特徴とするところは、線状材料を用いて、上部にＵ字状首まわり部を有し、該Ｕ字状首まわり部より分岐した各分岐部を胸部前部側に彎曲せしめて延長し、夫々の延長部下端をベルト差し込み部に形成して吊り上げ具本体を構成すると共に、上記首まわり部に背側に向けてコートの後襟を吊り上げる布ファスナーの如き係着具を取り付け、かつベルト差し込み部にベルト上縁に係着して吊り上げ具の位置を調節する高さ調節具を設けてなる熱気排出用防水コートの襟吊り上げ具の構成にある。
【０００５】
なお、上記構成において上部のＵ字状首まわり部の下部に背中を膨らませるＵ状部を併せ設けることも好ましく、また、胸部前部の彎曲部に吊り上げ具本体の胸前に傾くのを背側に引っ張る伸縮紐を設けることも好適である。
【考案の効果】
【０００６】
本考案襟吊り上げ具はＵ字状首まわり部の係着部（布ファスナー）をコートの襟内側に密着させるとコートが少し肩上に吊り上げられて胸前より背中，尻部とコート内面側が身体より引き離されて身体とコート内側に隙間空間が形成され、その空間に足元より空気が取り入れられて、この取り入れられた外気でコート内側の熱気を煙突状に頭上に排出させることができ、コートを着用して夏期高温作業するときでも軽くて涼感があり、快適な環境下で作業をすることができる利点がある。
【考案を実施するための最良の形態】
【０００７】
以下、更に添付図面を参照して本考案襟吊り上げ具の具体的な実施形態を説明する。
【０００８】
図１は本考案襟吊り上げ具の１例を示す概要図であり、図２は該襟吊り上げ具の使用状態図である。これら図において１は本考案襟吊り上げ具上部の首まわり部であり、線状材料を首の後ろにまわるようなＵ字状に屈曲することによって形成されており、このＵ字状首まわり部より分岐した分岐部１ａ，１ｂの線状材料は夫々、胸部前部側に彎曲されて下方へ延び、夫々その下端はベルトに差し込むためのベルト差し込み部２ａ，２ｂとなって吊り上げ具本体Ａを構成している。
【０００９】
そして、上記襟吊り上げ具の本体構成において、上記の首まわり部１にはコートの後襟を吊り上げるための係着部、例えば布ファスナー４が設けられていると共に、Ｕ字状首まわり部１下部に上記首まわり部１に併設されて人体に装着して防水コート内側に位置するとき背中を膨らませるためのＵ状部５が設けられている。
【００１０】
一方、前記首まわり部より延びる分岐部１ａ，１ｂ下端のベルト差し込み部２ａ，２ｂには襟吊り上げ具の装着高さ位置を調整するための高さ調節具３ａ，３ｂがベルト上縁に掛けて襟吊り上げ具の装着を固定し得るように設けられている。なお、図中、６は襟吊り上げ具本体Ａが胸前に傾くのを背の方へゆるく引っ張るための伸縮紐、例えばゴム紐である。
【００１１】
図２は上記の如く構成された襟吊り上げ具を人体に着用した防水コート８内側に使用している状態であり、上部首まわり部１を首のまわりに引っ掛け、係着部の布ファスナー４を着用したコートの後襟内側に係着して後襟を吊り上げることによりコートは人体の肩上に少し吊り上げられている。
【００１２】
そして、分岐部１ａ，１ｂを胸部前部に位置させ、下端のベルト差し込み部２ａ，２ｂをベルト７の両側に差し込み、位置を調節し高さを決めて高さ調節具をベルト上縁に係着することによって襟吊り上げ具が人体に適切に固定される。なお、伸縮紐６は適宜背中に廻し、胸前に引き戻し、一方の分岐部に緩く結び止めておくようにする。また、首まわり部１下部に併設されたＵ状部５はコート着用時、背中をふくらませるように保持されている。
【００１３】
以上のように本考案襟吊り上げ具を人体に装着し、防水コート８を着用すると布ファスナー係着部４の係着によりコートが肩上に吊り上げられ、かつ首まわり部下部のＵ状部により背中がふくらまされて、人体と防水コートの内側が引き離され、胸前，背中，尻部にわたって防水コートと人体との間に空間ができる。そして空間が出来ると、この空間に足元の防水コート下方より外気が取り入れられ、コート内側の熱気をコート上部より頭上に排出し、コート内に熱気が溜まることがなくなり、コート内側に取り入れられた外気により涼感が感じられる。
【００１４】
なお、本考案襟吊り上げ具は軽く、装着も早く、しかも装着しても格別不便を感じることがないので夏期高温時における作業も快適に行なうことができる。
【産業上の利用可能性】
【００１５】
本考案襟吊り上げ具は特に夏期高温時作業に着用する防水コートに用いて快適であるが、コート内に熱気がこもり不快を催す作業時に着用する他のコート類に対しても随時、使用することも可能である。
【図面の簡単な説明】
【００１６】
【図１】本考案に係る襟吊り上げ具の１例を示す概要図である。
【図２】上記襟吊り上げ具を防水コートに着用した状態を示す説明図である。
【符号の説明】
【００１７】
Ａ：吊り上げ具本体
１：首まわり部
１ａ，１ｂ：分岐部
２ａ，２ｂ：ベルト差し込み部
３ａ，３ｂ：高さ調節具
４：係着部布ファスナー
５：Ｕ状部
６：伸縮紐
７：ベルト
８：防水コート
【図１】
0003121128.tif 000003
【図２】
0003121128.tif 000004